(57)【特許請求の範囲】
【請求項１】
複数の小花房を有するアジサイの栽培方法であって、
前記複数の小花房のうち、３つの小花房のみを残して該３つの小花房よりも高い位置にある一部の小花房を取り除く工程を含み、
前記工程が、前記アジサイの花房の直径が少なくとも３０ｍｍとなったときから前記花房が色づく前までの期間に実施されることを特徴とするアジサイの栽培方法。
【請求項２】
複数の小花房を有するアジサイの栽培方法であって、
前記複数の小花房のうち、３つの小花房のみを残して該３つの小花房よりも高い位置にある一部の小花房を取り除く工程を含み、
前記工程が、前記アジサイの花房の直径が５０〜１００ｍｍである期間に実施されることを特徴とするアジサイの栽培方法。
【発明の詳細な説明】
【技術分野】
【０００１】
本発明は、アジサイの栽培方法に関する。
【背景技術】
【０００２】
特許文献１には、スズランエリカのクリスマスツリー仕立ておよびその栽培法が記載されている。このスズランエリカの栽培法は、スズランエリカ（Ｅｒｉｃａ  ｆｏｒｍｏｓａ）の株の主幹を１本残して他の幹はすべて切除し、主幹を垂直になるよう支柱を立て誘引し、株全体が円錐形になるように枝を整えるようにしたことを特徴とするものであり、スズランエリカを新商材化することが可能で、開花前進化が図れる仕立て方法と時期別の栽培温度や管理場所による開花前進化、品質の向上を図ることができるようにしている。
【先行技術文献】
【特許文献】
【０００３】
【特許文献１】特開２００３−２１９７２７号公報
【発明の概要】
【発明が解決しようとする課題】
【０００４】
ここで、一般に、アジサイは、鉢または圃場に苗を植え付けられる。アジサイの花は蕚が発達したものである。アジサイの球形状を形成する１つの花房は、４〜５個程度の小花房で構成されている。
本発明は、商品価値がより高められたアジサイの栽培方法を提供することを目的とする。
【課題を解決するための手段】
【０００５】
前記目的に沿う第１の発明に係るアジサイの栽培方法は、複数の小花房を有するアジサイの栽培方法であって、
前記複数の小花房のうち、３つの小花房のみを残して該３つの小花房よりも高い位置にある一部の小花房を取り除く工程を含み、
前記工程が、前記アジサイの花房の直径が少なくとも３０ｍｍとなったときから前記花房が色づく前までの期間に実施される。
【０００６】
前記目的に沿う第２の発明に係るアジサイの栽培方法は、複数の小花房を有するアジサイの栽培方法であって、
前記複数の小花房のうち、３つの小花房のみを残して該３つの小花房よりも高い位置にある一部の小花房を取り除く工程を含み、
前記工程が、前記アジサイの花房の直径が５０〜１００ｍｍである期間に実施される。
【０００７】
【０００８】
【０００９】
【発明の効果】
【００１０】
本発明によれば、商品価値がより高められたアジサイの栽培方法を提供できる。
【図面の簡単な説明】
【００１１】
【図１】図１は本発明の一実施の形態に係るアジサイの栽培方法により栽培されるアジサイの花房の側面であって、開花前の写真である。
【図２】図２は同アジサイの栽培方法により栽培されるアジサイの花房であって、小花房除去前の写真である。
【図３】図３は同アジサイの栽培方法により栽培されるアジサイの花房であって、小花房除去後の写真である。
【図４】図４は同アジサイの栽培方法により栽培されるアジサイが開花した状態を示す写真である。
【発明を実施するための形態】
【００１２】
本発明の一実施の形態に係るアジサイの栽培方法は、１つの株から生じる少なくとも１つのアジサイの花房１０（図１参照）を、開花時に観賞方向から見てハート型に類似した形に仕上げることができる。
【００１３】
本実施の形態に係るアジサイの栽培方法により栽培されたアジサイは、図４に示すように、正面から見て、上側が凹み、下側が尖ったいわゆるハート型に類似した形状となっている。
【００１４】
このアジサイは、具体的には以下の工程Ｓ１〜Ｓ４（アジサイの栽培方法）に従って栽
培される。
（工程Ｓ１）
アジサイの挿し木苗を鉢または圃場に植え付ける。必要に応じて水、肥料を施し、図１及び図２に示す花房１０の状態まで育成させる。
【００１５】
（工程Ｓ２）
アジサイの小花房１２（図１参照）が４つである場合には、図３に示す切断部位１４にてその内の１つの小花房１２を切断して取り除く。小花房が５つ以上ある場合には、３つの小花房を残して、それ以外の小花房を切断して取り除く。すなわち、複数の小花房のうち、３つの小花房のみを残して、一部の小花房を取り除く。
【００１６】
ここで、一部の小花房を取り除く期間は、複数の小花房により形成される花房の直径が少なくとも３０ｍｍとなったときから花房１０が開花し色づく前までの期間Ａであることが好ましい。
期間Ａの始期が、花房１０の直径が少なくとも３０ｍｍとなったときである理由は、手で小花房１２を取り除くことができるからである。なお、花房１０の直径が３０ｍｍの大きさに満たない時期に取り除いた場合には、残した小花房１２が取り除いた小花房１２があった空間にまで伸びて成長することにより、整ったハート型になりにくい。
期間Ａの終期が、花房１０が開花し色づく前である理由は、花房１０が色づいた後に小花房を取り除くと、取り除いた部分（切断部位１４）の切り口が目立つことにより商品価値が落ちるからである。
【００１７】
ただし、作業効率を考慮すると、一部の小花房１２を取り除く期間は、複数の小花房１２により形成される花房１０の直径が５０ｍｍ〜１００ｍｍである期間Ｂであってもよい。
期間Ｂの始期が花房１０の直径が５０ｍｍとなったときである理由は、ピンセット等の器具を使用することなく手で小花房１２を取り除くことができるからである。
期間Ｂの終期が１００ｍｍとなったときである理由は、取り除いた部分の切り口が目立たないだけでなく、花房１０が色づいた状態よりも切断部位が柔らかく、作業し易いからである。
【００１８】
なお、取り除く一部の小花房の高さ位置が、前記３つの小花房よりも高い位置にあることが好ましい。なぜなら、地面から最も高い位置にある一部の小花房１２を取り除くことにより、上側が凹み、下側が尖ったハート型に類似した形状となるからである
【００１９】
（工程Ｓ３）
工程Ｓ２を実施した後、更に育成させる。アジサイは、ハート型に類似した形状のまま色づく。
【００２０】
（工程Ｓ４）
花房１０が色づいた後、より美しいハート型になるよう、例えば花びらの一部を取り除く調整作業を行って出荷する（図４参照）。
【００２１】
このように、前述の工程Ｓ１〜Ｓ４に沿って栽培されたアジサイは、ハート型に類似した形状であるため、人目を引きやすく、商品価値が高い。
【００２２】
本発明は、前述の実施の形態に限定されるものではなく、本発明の要旨を変更しない範囲での変更は可能である。例えば、前述の実施の形態や変形例の一部又は全部を組み合わせて発明を構成する場合も本発明の技術的範囲に含まれる。
【００２３】
【符号の説明】
【００２４】
１０  花房
１２  小花房
１４  切断部位
【要約】      （修正有）【課題】商品価値がより高められたアジサイの栽培方法及び観賞用植物の栽培方法を提供する。【解決手段】アジサイの栽培方法は、複数の花房のうち、３つの花房のみを残して一部の花房を取り除く工程を含む。観賞用植物の栽培方法は、密集した複数の花房のうち、一部の花房を取り除く工程を含む。【選択図】図４【図１】
0005811294.tif 000002
【図２】
0005811294.tif 000003
【図３】
0005811294.tif 000004
【図４】
0005811294.tif 000005